(57)【特許請求の範囲】
【請求項１】
無線通信手段と該無線通信手段を介して送受信されるデータを記憶する記憶手段とを有する無線集積回路素子が保持されたラベルが複数設けられた用紙から、前記複数の無線集積回路素子にそれぞれ書き込むための書込情報を特定するためのバーコードを読み取る読取手段と、
前記読取手段により読み取られたバーコードに基づいて、前記複数の無線集積回路素子にそれぞれ書き込むための書込情報を取得する取得手段と、
前記複数の無線集積回路素子に対応してそれぞれ設けられ、搬送され停止された用紙に対して、前記取得手段により取得された複数の書込情報を前記複数の無線集積回路素子にそれぞれ書き込む複数の書込手段と、
前記用紙を搬送する搬送手段とを有し、
前記バーコードが、前記用紙の搬送方向の下流側の先頭部分の略中央部分に設けられ、前記バーコードを構成する各線が、搬送方向に対して平行となるよう前記用紙上に印刷されている書き込み装置。
【請求項２】
無線通信手段と該無線通信手段を介して送受信されるデータを記憶する記憶手段とを有する複数の無線集積回路素子に書き込むための書込情報と、用紙に設けられた複数のラベルに印刷するための複数の画像データとをバーコードに対応付けて格納する格納手段と、前記格納手段に格納されている１枚の用紙分の複数の画像データとバーコードとを組み合わせて画像形成装置に対して送信する印刷情報送信手段と、識別情報を受信すると、受信したバーコードに対応した複数の書込情報を送信する書込情報送信手段とを有する管理装置と、
複数の無線集積回路素子が設けられた用紙を受け入れる受入手段と、前記用紙に対して印刷すべき画像データおよびバーコードを前記管理装置から受信する受信手段と、前記受入手段により受け入れられた用紙に対して、前記受信手段により受信された画像データおよびバーコードに基づいた画像を印刷する印刷手段とを有する画像形成装置と、
前記画像形成装置により画像データおよびバーコードが印刷された用紙から該識別情報を読み取る読取手段と、前記読取手段により読み取られたバーコードに基づいて前記管理装置から前記複数の無線集積回路素子に対応した複数の書込情報を取得する取得手段と、前記複数の無線集積回路素子に対応してそれぞれ設けられ、搬送され停止された用紙に対して、前記取得手段により取得された複数の書込情報を前記複数の無線集積回路素子にそれぞれ書き込む複数の書込手段と、前記用紙を搬送する搬送手段とを有し、前記バーコードが、前記用紙の搬送方向の下流側の先頭部分の略中央部分に設けられ、前記バーコードを構成する各線が、搬送方向に対して平行となるよう前記用紙上に印刷されている書き込み装置と、
を備えたラベル作成システム。
【発明の詳細な説明】
【技術分野】
【０００１】
本発明は、書き込み装置、画像形成装置、管理装置およびラベル作成システムとラベル作成方法ならびにプログラムに関する。
【背景技術】
【０００２】
特許文献１には、ＲＦ−ＩＤ（Radio Frequency-IDentification）タグと呼ばれるような無線タグ等の無線集積回路素子への読み込みおよび書き込みを行う読み込み書き込み装置をプリンタに設け、無線集積回路素子から読み取られたデータに基づいてラベルに印刷を行うようにする技術が開示されている。
【０００３】
特許文献２には、ラベルの一部に無線集積回路素子を有する用紙に対して印刷を行うプリンタにおいて、無線集積回路素子に対する読み込み書き込みを行うためのアンテナの取り付け位置を可変とする機構を設けることにより、ラベルに対してどの位置に無線集積回路素子が埋設されている場合でも無線集積回路素子への読み込み書き込みを可能とする技術が開示されている。
【０００４】
【特許文献１】特開２００１−９６８１４号公報
【特許文献２】特開２００２−２０２６号公報
【発明の開示】
【発明が解決しようとする課題】
【０００５】
本発明の目的は、無線集積回路素子を保持するラベルが複数設けられた用紙に対するデータの書き込みを、ラベル１つずつ順次行う場合と比較して、効率的に行うことが可能な書き込み装置、画像形成装置、管理装置およびラベル作成システムならびにプログラムを提供することである。
【課題を解決するための手段】
【０００６】
［書き込み装置］
請求項１に係る本発明は、無線通信手段と該無線通信手段を介して送受信されるデータを記憶する記憶手段とを有する無線集積回路素子が保持されたラベルが複数設けられた用紙から、前記複数の無線集積回路素子にそれぞれ書き込むための書込情報を特定するためのバーコードを読み取る読取手段と、
前記読取手段により読み取られたバーコードに基づいて、前記複数の無線集積回路素子にそれぞれ書き込むための書込情報を取得する取得手段と、
前記複数の無線集積回路素子に対応してそれぞれ設けられ、搬送され停止された用紙に対して、前記取得手段により取得された複数の書込情報を前記複数の無線集積回路素子にそれぞれ書き込む複数の書込手段と、
前記用紙を搬送する搬送手段とを有し、
前記バーコードが、前記用紙の搬送方向の下流側の先頭部分の略中央部分に設けられ、前記バーコードを構成する各線が、搬送方向に対して平行となるよう前記用紙上に印刷されている書き込み装置である。
【００１３】
［ラベル作成システム］
請求項２に係る本発明は、無線通信手段と該無線通信手段を介して送受信されるデータを記憶する記憶手段とを有する複数の無線集積回路素子に書き込むための書込情報と、用紙に設けられた複数のラベルに印刷するための複数の画像データとをバーコードに対応付けて格納する格納手段と、前記格納手段に格納されている１枚の用紙分の複数の画像データとバーコードとを組み合わせて画像形成装置に対して送信する印刷情報送信手段と、識別情報を受信すると、受信したバーコードに対応した複数の書込情報を送信する書込情報送信手段とを有する管理装置と、
複数の無線集積回路素子が設けられた用紙を受け入れる受入手段と、前記用紙に対して印刷すべき画像データおよびバーコードを前記管理装置から受信する受信手段と、前記受入手段により受け入れられた用紙に対して、前記受信手段により受信された画像データおよびバーコードに基づいた画像を印刷する印刷手段とを有する画像形成装置と、
前記画像形成装置により画像データおよびバーコードが印刷された用紙から該識別情報を読み取る読取手段と、前記読取手段により読み取られたバーコードに基づいて前記管理装置から前記複数の無線集積回路素子に対応した複数の書込情報を取得する取得手段と、前記複数の無線集積回路素子に対応してそれぞれ設けられ、搬送され停止された用紙に対して、前記取得手段により取得された複数の書込情報を前記複数の無線集積回路素子にそれぞれ書き込む複数の書込手段と、前記用紙を搬送する搬送手段とを有し、前記バーコードが、前記用紙の搬送方向の下流側の先頭部分の略中央部分に設けられ、前記バーコードを構成する各線が、搬送方向に対して平行となるよう前記用紙上に印刷されている書き込み装置とを備えたラベル作成システムである。
【発明の効果】
【００１５】
請求項１に係る本発明によれば、無線集積回路素子を保持するラベルが複数設けられた用紙に対するデータの書き込みを、ラベル１つずつに順次行う場合と比較して効率的に行うことができるとともに、用紙の搬送誤差によりバーコードの読み取り位置がずれた場合であっても、用紙上に印刷されたバーコードを確実に読み取ることが可能な書き込み装置を提供することができる。
【００２２】
請求項２に係る本発明によれば、無線集積回路素子を保持するラベルが複数設けられた用紙に対するデータの書き込みを、ラベル１つずつに順次行う場合と比較して効率的に行うことができるとともに、用紙の搬送誤差によりバーコードの読み取り位置がずれた場合であっても、用紙上に印刷されたバーコードを確実に読み取ることが可能なラベル生成システムを提供することができる。
【発明を実施するための最良の形態】
【００２４】
次に、本発明の実施の形態について図面を参照して詳細に説明する。
【００２５】
図１は本発明の一実施形態のラベル作成システムの構成を示すシステム図である。
【００２６】
本実施形態のラベル作成システムは、無線ＩＣタグが設けられたラベルに所定の画像を印刷するとともに、印刷した画像に対応したデータをラベル内の無線ＩＣタグに書き込むためのシステムである。本実施形態では、図書館に収納されている書籍に対して貼りつけられ、各書籍を特定するための情報がバーコードにより印刷されるとともに、同じ情報内容が無線ＩＣタグに格納されたラベルを作成するためのラベル作成システムを用いて説明を行う。
【００２７】
尚、無線ＩＣタグは、自身の識別コードなどの情報が記録されており、電波を使って管理システムと情報を送受信する能力をもつ他の無線集積回路素子であってもよい。
【００２８】
無線集積回路素子は、形状がラベル型、カード型、コイン型、スティック型など様々であり、用途に応じて選択される。通信距離は数ｍｍ程度のものから数ｍのものがあり、これも用途に応じて使い分けられる。
【００２９】
本実施形態のラベル作成システムは、図１に示されるように、ネットワーク４０により相互に接続された、画像形成装置１０と、管理装置２０と、無線ＩＣタグ書き込み装置３０とから構成されている。
【００３０】
管理装置２０は、ラベルに対して印刷するための画像データおよび、ラベル内の無線ＩＣタグに書き込むためのデータを管理する。
【００３１】
画像形成装置１０は、管理装置２０から送信された印刷データを受け付けて、この印刷データに応じた画像を印刷用紙上に出力する。例えば、画像形成装置１０の一例としては、ファクシミリ機能、プリント機能、スキャナ機能等を有するいわゆる複合機のような装置が考えられる。
【００３２】
無線ＩＣタグ書き込み装置３０は、管理装置２０から受け取ったデータをラベル内に設けられた無線ＩＣタグに対して書き込む処理を行っている。
【００３３】
このような本実施形態のラベル作成システムにおいて使用されるラベル用紙６０の一例を図２に示す。
【００３４】
本実施形態のラベル作成システムにおいて使用されるラベル用紙６０は、図２に示されるように、８枚のラベル５１〜５８により構成されており、各ラベル５１〜５８には無線ＩＣタグがそれぞれ１つずつ設けられている。
【００３５】
次に、ラベル５１〜５８の構成について説明する。ラベル５１〜５８は同様な構成であるため、ここではラベル５１の構成を図３を参照して説明する。
【００３６】
ラベル５１には、図３に示されるように、ＩＣチップ７９とアンテナ７８とから構成される無線ＩＣタグが設けられている。このＩＣチップ７９には、無線ＩＣタグ書き込み装置３０との間で無線通信を行うための無線通信手段と、この無線通信手段により送受信されるデータを記憶する記憶手段であるメモリとが設けられている。そして、無線通信手段は、アンテナ７８を介して無線ＩＣタグ書き込み装置３０との間で無線通信を行うことにより、非接触状態のままＩＣチップ７９内のメモリの情報の読み出しや、メモリへの情報の書き込みが行われる。
【００３７】
尚、ラベル５１は、商標・品名・分類記号・宛先などを表示するために品物や容器などに貼るものであれば、プラスチック素材等の他の材料も利用することができる。
【００３８】
次に、本実施形態のラベル作成システムにおける管理装置２０のハードウェア構成を図４に示す。
【００３９】
管理装置２０は、図４に示されるように、ＣＰＵ７１、メモリ７２、ハードディスクドライブ（ＨＤＤ）等の記憶装置７３、ネットワーク４０を介して画像形成装置１０や無線ＩＣタグ書き込み装置３０等との間でデータの送信及び受信を行う通信インタフェース（ＩＦ）７４、タッチパネル又は液晶ディスプレイ並びにキーボードを含むユーザインタフェース（ＵＩ）装置７５を有する。これらの構成要素は、制御バス７６を介して互いに接続されている。
【００４０】
ＣＰＵ７１は、メモリ７２または記憶装置７３に格納された画像処理プログラムに基づいて所定の処理を実行して、管理装置２０の動作を制御する。
【００４１】
なお、本実施形態では、ＣＰＵ７１は、メモリ７２または記憶装置７３内に格納された制御プログラムを読み出して実行するものとして説明したが、当該プログラムをＣＤ−ＲＯＭ等の記憶媒体に格納してＣＰＵ７１に提供することも可能である。
【００４２】
図５は、上記の制御プログラムが実行されることにより実現される管理装置２０の機能構成を示すブロック図である。
【００４３】
管理装置２０は、図５に示されるように、入力部２１と、情報格納部２２と、シートＩＤ生成部２３と、印刷情報送信部２４と、書込情報送信部２５とを備えている。
【００４４】
入力部２１は、ラベルに印刷すべき画像データおよび、このラベルに設けられた無線ＩＣタグに書き込む書込情報を入力する。入力部２１により画像データおよび書込情報を入力する場合の画面表示の一例を図６に示す。
【００４５】
図６に示した表示例では、Ａ４サイズに８枚のラベルが構成された用紙を選択し、各ラベル毎に格納するデータを指定して入力するような方法が示されている。また、各ラベルに印刷する画像データの設定や、複数のラベルに共通して付与するラベル名が選択可能となっている。
【００４６】
シートＩＤ生成部２３は、入力部２１により入力された複数の画像データと書込情報との組のうち、１枚のラベル用紙に含まれるラベルの数分の画像データである８枚分の画像データと書込情報を特定するためのシートＩＤ（識別情報）を生成する。
【００４７】
情報格納部２２は、ラベル用紙に設けられた複数の無線ＩＣタグに書き込むための書込情報とラベル用紙の各ラベルに印刷するための複数の画像データとを、シートＩＤ生成部２３により生成されたシートＩＤに対応付けて格納する。
【００４８】
この情報格納部２２に格納される情報の一例を図７に示す。この図７に示された例では、例えば、８枚のラベル分の書込情報０１〜０８、画像データ０１〜０８に対しては、シートＩＤとして“９２３０００１”という情報が対応して情報格納部２２に格納されている。
【００４９】
印刷情報送信部２４は、情報格納部２２に記憶されている１枚のラベル用紙分の８つの画像データとシートＩＤとを組み合わせて画像形成装置１０に対して送信する。
【００５０】
例えば、図７に示したようなデータが情報格納部２２に格納されている場合、印刷情報送信部２４は、図８に示すような印刷情報を画像形成装置１０に送信する。
【００５１】
つまり、印刷情報送信部２４は、画像データ０１〜０８をラベル用紙６０の８枚のラベル５１〜５８に対応させ、シートＩＤ“９２３０００１”という識別情報をラベル用紙６０の搬送方向の下流側の先頭部分に配置したものを印刷情報として画像形成装置１０に送信する。
【００５２】
書込情報送信部２５は、無線ＩＣタグ書き込み装置３０からシートＩＤ情報を受信すると、受信したシートＩＤ情報に対応した８枚のラベル分の書込情報を無線ＩＣタグ書き込み装置３０に送信する。
【００５３】
次に、この管理装置２０により書込情報、画像データを生成して格納するまでの動作の一例を図９のフローチャートに示す。
【００５４】
入力部２１によりラベルに印刷すべき画像データ、無線ＩＣタグに書き込むべき書込情報が入力されると（ステップＳ１０１）、８枚分のラベルのデータ毎にシートＩＤ生成部２３によりシートＩＤが設定される（ステップＳ１０２）。そして、入力部２１により入力された画像データおよび書込情報は、シートＩＤ生成部２３により生成されたシートＩＤとともに情報格納部２２に格納される（ステップＳ１０３）。
【００５５】
次に、本実施形態のラベル作成システムにおける画像形成装置１０のハードウェア構成を図１０に示す。
【００５６】
画像形成装置１０は、図１０に示されるように、ＣＰＵ８１、メモリ８２、ハードディスクドライブ（ＨＤＤ）等の記憶装置８３、ネットワーク４０を介して管理装置２０や無線ＩＣタグ書き込み装置３０等との間でデータの送信及び受信を行う通信インタフェース（ＩＦ）８４、タッチパネル又は液晶ディスプレイ並びにキーボードを含むユーザインタフェース（ＵＩ）装置８５、プリントエンジン８６を有する。これらの構成要素は、制御バス８７を介して互いに接続されている。
【００５７】
ＣＰＵ８１は、メモリ８２または記憶装置８３に格納された制御プログラムに基づいて所定の処理を実行して、画像形成装置１０の動作を制御する。
【００５８】
図１１は、上記の制御プログラムが実行されることにより実現される画像形成装置１０の機能構成を示すブロック図である。
【００５９】
本実施形態の画像形成装置１０は、図１１に示されるように、用紙受入部１１と、印刷部１２と、印刷情報受信部１３とを有する。
【００６０】
用紙受入部１１は、複数の無線ＩＣタグが設けられたラベル用紙６０を受け入れる。印刷情報受信部１３は、ラベル用紙６０に対して印刷すべき画像データおよびシートＩＤ情報を、ネットワーク４０を介して管理装置２０から受信する。
【００６１】
印刷部１２は、用紙受入部１１手段により受け入れられたラベル用６０紙に対して、印刷情報受信部１３により受信された画像データおよびシートＩＤ情報に基づいた画像を印刷する。
【００６２】
このような構成の画像形成装置１０では、管理装置２０からの印刷情報に基づいてラベル用紙に対して印刷を行うことにより、図１２に示されるようなラベル用紙６０が生成される。そのラベル用紙６０には、各ラベルにそれぞれ設定された画像データが印刷されるとともに、ラベル用紙６０の長手方法にはシートＩＤ情報６１がバーコードにより印刷されている。各ラベルにそれぞれ設定された画像データは、書き込み情報をバーコード化したバーコード画像が印刷される。
【００６３】
次に、本実施形態のラベル作成システムにおける無線ＩＣタグ書き込み装置３０のハードウェア構成を図１３に示す。
【００６４】
無線ＩＣタグ書き込み装置３０は、図１３に示されるように、ＣＰＵ９１、メモリ９２、ハードディスクドライブ（ＨＤＤ）等の記憶装置９３、ネットワーク４０を介して管理装置２０との間でデータの送信及び受信を行う通信インタフェース（ＩＦ）９４、バーコード読取部３１、リーダ／ライタユニット３４を有する。これらの構成要素は、制御バス９５を介して互いに接続されている。
【００６５】
ＣＰＵ９１は、メモリ９２または記憶装置９３に格納された制御プログラムに基づいて所定の処理を実行して、無線ＩＣタグ書き込み装置３０の動作を制御する。
【００６６】
なお、本実施形態では、ＣＰＵ９１は、メモリ９２または記憶装置９３内に格納された制御プログラムを読み出して実行するものとして説明したが、当該プログラムをＣＤ−ＲＯＭ等の記憶媒体に格納してＣＰＵ９１に提供することも可能である。
【００６７】
図１４は、上記の制御プログラムが実行されることにより実現される無線ＩＣタグ書き込み装置３０の機能構成を示すブロック図である。
【００６８】
無線ＩＣタグ書き込み装置３０は、図１４に示されるように、バーコード読取部３１と、書込情報取得部３２と、リーダ／ライタユニット３３とを有している。
【００６９】
バーコード読取部３１は、各ラベルに画像データが印刷されたラベル用紙６０から、無線ＩＣタグにそれぞれ書き込むための書込情報を特定するためのシートＩＤを読み取る。
【００７０】
書込情報取得部３２は、バーコード読取部３１により読み取られたシートＩＤ情報に基づいて、複数の無線ＩＣタグに対応した複数の書込情報をネットワーク４０を介して管理装置２０から取得する。
【００７１】
リーダ／ライタユニット３３は、８つのリーダ／ライタにより構成されている。そして８つのリーダ／ライタは、それぞれ、書込情報取得部３２により取得された８つの書込情報を、ラベル用紙６０の８つの無線ＩＣタグにそれぞれ書き込む。
【００７２】
次に、無線ＩＣタグ書き込み装置３０の概略構成を図１５に示す。
【００７３】
無線ＩＣタグ書き込み装置３０は、図１５に示されるように、画像形成装置１０により画像データが印刷された後のラベル用紙６０を搬送するための各種搬送手段を有しており、この搬送手段により搬送されている間にバーコード読取部３１により所定の場所にバーコードにより印刷されたシートＩＤ情報６１が読み取られるような構成となっている。
【００７４】
また、搬送路途中には、リーダ／ライタユニット３３が設けられており、搬送されてきたラベル用紙６０は、図示しないセンサにより検知され、このリーダ／ライタ３３上の所定の位置に一旦停止するようになっている。尚、用紙を停止させるタイミングをバーコード読取部３１によりシートＩＤ情報６１が読み取られたタイミングを利用して、ラベル用紙６０を停止させる構成としてもよい。
【００７５】
次に、リーダ／ライタユニット３３の構成を図１６に示す。リーダ／ライタユニット３３は、ラベル用紙６０において８つの無線ＩＣタグが設けられている位置に対応した位置にそれぞれ設けられた８つのリーダ／ライタ３５ａ〜３５ｈから構成されている。
【００７６】
この８つのリーダ／ライタ３５ａ〜３５ｈは、それぞれ、書込情報取得部３２により取得された８つの書込情報を、ラベル用紙６０の８つの無線ＩＣタグにそれぞれ書き込む。
【００７７】
なお、シートＩＤ情報６１は、ラベル用紙６０の搬送方向の先頭部分に設けられている。また、シートＩＤ情報６１として印刷されたバーコードを構成する各バー（線）が、搬送方向に対して平行となるようラベル用紙６０上に印刷されている。尚、シートＩＤ情報６１は、ラベル用紙６０の任意の位置に設ける構成としてもよく、その位置をユーザが指定できるように構成してもよい。また、バーコードを構成する各バー（線）が、搬送方向に対して垂直となるように印刷してもよい。
【００７８】
次に、本実施形態のラベル作成システムにおける無線ＩＣタグ書き込み装置３０の動作を図１７のフローチャートを参照して説明する。
【００７９】
先ず、画像形成装置１０により画像データが印刷されたラベル用紙６０が無線ＩＣタグ書き込み装置３０に受け入れられると、バーコード読取部３１により、ラベル用紙６０の所定の位置に印刷されたシートＩＤ情報６１が読み取られる（ステップＳ２０１）。
【００８０】
すると、書込情報取得部３２は、バーコード読取部３１により読み取られたシートＩＤを、管理装置２０に対して送信し、管理装置２０からこのシートＩＤに対応した８枚のラベル分の書込情報を受信する（ステップＳ２０２）。
【００８１】
そして、ラベル用紙６０が搬送されリーダ／ライタユニット３上で停止すると、リーダ／ライタユニット３３の８つのリーダ／ライタ３５ａ〜３５ｈは、ラベル用紙６０内の８つの無線ＩＣタグに同時に書込情報を書き込む（ステップＳ２０３）。
【００８２】
最後に、リーダ／ライタ３５ａ〜３５ｈは、ラベル用紙６０内の８つの無線ＩＣタグに書き込んだ情報を読み出し、書き込みを行ったはずの情報と比較することにより書込情報が正常に書き込まれたことを確認（ベリファイ）する（ステップＳ２０４）。
【００８３】
ステップＳ２０４のベリファイ処理において比較した情報が一致しない場合には、再度書き込み処理が行われ、再書き込み処理でも正常な結果が得られない場合には、無線ＩＣタグに不具合がある等の何らかの異常があると判定される。そして、正常に処理が行われなかった結果が管理装置２０に通知される。そのため、管理装置２０は、無線ＩＣタグへのデータ書込みが正常に行われなかったラベルのデータを別のラベル用紙６０に対して再作成するようなことも可能である。
【００８４】
このようにして、８つの無線ＩＣタグに所定の書込情報が書き込まれたラベル用紙６０は、無線ＩＣタグ書込み装置２０から出力される。
【００８５】
[変形例]
上記実施形態では、識別情報であるシートＩＤとして、１次元コードであるバーコードを用いた場合について説明したが、本発明はこのような場合に限定されるものではなく、２次元コードであるＱＲ（Quick Response）コード等の他の識別情報をシートＩＤとして使用した場合でも同様に適用することができるものである。
【００８６】
なお、このような構成の場合には、ＱＲコードに８枚のラベル分の書込情報を含めるようにすれば、管理装置２０に対して書込情報を問い合わせることなく、各ラベルの無線ＩＣタグに書込情報を書き込むことも可能である。
【００８７】
また、上記実施形態では、１枚のラベル用紙６０に８枚のラベル５１〜５８が含まれているような場合を用いて説明したが、本発明は、１枚のラベル用紙に複数のラベルが含まれているような場合であれば同様に適用可能である。
【００８８】
さらに、上記の実施形態では、各ラベルに対して画像データを印刷した後に、無線ＩＣタグへの情報の書き込みを行うようにしているが、逆に無線ＩＣタグへの情報の書き込みを行った後に、各ラベルに対して画像データを印刷するようにしても良い。この場合には、画像形成装置１０に無線ＩＣタグへの情報の書き込みおよび読み出しを行うためのリーダ／ライタを設け、８つのラベルのうちの１つのラベルの無線ＩＣタグに書き込まれた書込情報を管理装置２０の情報格納部２２と照合することにより、そのラベル用紙に対して印刷すべき画像データを特定することが可能となる。
【００８９】
また、上記の実施形態では、各ラベルに対して印刷したバーコード画像とは別に、シートＩＤ情報６１を印刷しているが、複数のラベルの少なくともいずれかのバーコード画像をシートＩＤ情報６１と兼用させることもできる。例えば、情報格納部２２にて、シートＩＤ情報６１を、ラベル用紙６０の搬送方向の前方左側のバーコード画像のコード情報と同じものとし、バーコード読取部３１をラベル用紙６０の搬送方向の前方左側のバーコード画像を読み取るように構成すればよい。
【図面の簡単な説明】
【００９０】
【図１】本発明の一実施形態のラベル作成システムの構成を示すシステム図である。
【図２】本発明の一実施形態のラベル作成システムにおいて使用されるラベル用紙６０の一例を示す図である。
【図３】ラベル用紙６０を構成する１つのラベル５１を説明するための図である。
【図４】本発明の一実施形態のラベル作成システムにおける管理装置２０のハードウェア構成を示すブロック図である。
【図５】本発明の一実施形態のラベル作成システムにおける管理装置２０の機能構成を示すブロック図である。
【図６】入力部２１により画像データおよび書込情報を入力する場合の画面表示の一例を示す図である。
【図７】管理装置２０の情報格納部２２に格納される情報の一例を示す図である。
【図８】印刷情報送信部２４が画像形成装置１０に送信する印刷情報の一例を示す図である。
【図９】管理装置２０により書込情報、画像データを生成して格納するまでの動作を示すフローチャートである。
【図１０】本発明の一実施形態のラベル作成システムにおける画像形成装置１０のハードウェア構成を示すブロック図である。
【図１１】本発明の一実施形態のラベル作成システムにおける画像形成装置１０の機能構成を示すブロック図である。
【図１２】画像形成装置１０により印刷されるラベル用紙６０の一例を示す図である。
【図１３】本発明の一実施形態のラベル作成システムにおける無線ＩＣタグ書き込み装置３０のハードウェア構成を示すブロック図である。
【図１４】本発明の一実施形態のラベル作成システムにおける無線ＩＣタグ書き込み装置３０の機能構成を示すブロック図である。
【図１５】本発明の一実施形態のラベル作成システムにおける無線ＩＣタグ書き込み装置３０の概略構成を示す図である。
【図１６】リーダ／ライタユニット３３の構成を説明するための図である。
【図１７】無線ＩＣタグ書き込み装置３０の動作を示すフローチャートである。
【符号の説明】
【００９１】
１０    画像形成装置
１１    用紙受入部
１２    印刷部
１３    印刷情報受信部
２０    管理装置
２１    入力部
２２    情報格納部
２３    シートＩＤ生成部
２４    印刷情報送信部
２５    書込情報送信部
３０    無線ＩＣタグ書き込み装置
３１    バーコード読取部
３２    書き込み情報取得部
３３    リーダ／ライタユニット
３５ａ〜３５ｈ    リーダ／ライタ
４０    ネットワーク
５１〜５８    ラベル
６０    ラベル用紙
６１    シートＩＤ情報
７１    ＣＰＵ
７２    メモリ
７３    記憶装置
７４    通信インタフェース（ＩＦ）
７５    ユーザインタフェース（ＵＩ）装置
７６    制御バス
７８    アンテナ
７９    ＩＣチップ
８１    ＣＰＵ
８２    メモリ
８３    記憶装置
８４    通信インタフェース（ＩＦ）
８５    ユーザインタフェース（ＵＩ）装置
８６    プリントエンジン
８７    制御バス
９１    ＣＰＵ
９２    メモリ
９３    記憶装置
９４    通信インタフェース（ＩＦ）
９５    制御バス
Ｓ１０１〜Ｓ１０３    ステップ
Ｓ２０１〜Ｓ２０４    ステップ
【図１】
0004492663.tif 000002
【図２】
0004492663.tif 000003
【図３】
0004492663.tif 000004
【図４】
0004492663.tif 000005
【図５】
0004492663.tif 000006
【図６】
0004492663.tif 000007
【図７】
0004492663.tif 000008
【図８】
0004492663.tif 000009
【図９】
0004492663.tif 000010
【図１０】
0004492663.tif 000011
【図１１】
0004492663.tif 000012
【図１２】
0004492663.tif 000013
【図１３】
0004492663.tif 000014
【図１４】
0004492663.tif 000015
【図１５】
0004492663.tif 000016
【図１６】
0004492663.tif 000017
【図１７】
0004492663.tif 000018